(57)【特許請求の範囲】
【請求項１】
外枠と、
前記外枠に遊技者側の前面側にて開閉可能となるように取り付けられて、略中央部に窓部を有する前面カバー部材と、
遊技者側の前面に突出して設けられて、払い出される賞球を受ける上側球貯留部材と、
前記上側球貯留部材の下側に配置されて、該上側球貯留部材から溢れた遊技球を受けて貯留する下側球貯留部材とを備え、
前記上側球貯留部材は、該上側球貯留部材の前面上端縁部から前記下側球貯留部材の下側まで延出される延出部材を有し、
前記下側球貯留部材は、前記延出部材の後側に配設されると共に、該延出部材によって上方前面部が塞がれ、
前記上側球貯留部材は、前記前面カバー部材と一体に設けられ、
前記延出部材の略中央部には、断面略円形の凹部が形成され、
前記凹部内に、球抜きダイヤルレバーが回動可能に取り付けられ、
前記下側球貯留部材の下端部には、球抜き孔が形成され、
前記下側球貯留部材には、前記球抜き孔を覆うことが可能なスライド板が設けられ、
前記下側球貯留部材には、前記スライド板の位置を前記球抜き孔を覆う位置から前記球抜き孔を覆わない位置へ移動させる球抜き機構部が設けられ、
前記前面カバー部材を閉じたときに、前記球抜きダイヤルレバーは、前記球抜き機構部に接続され、
前記接続された状態で、前記球抜きダイヤルレバーが一方向に操作されたときに、前記スライド板の位置が前記球抜き孔を覆う位置から前記球抜き孔を覆わない位置へ移動され、前記スライド板が前記球抜き孔を覆わなくなることにより、前記下側球貯留部材に貯留された賞球が下方に落下される、
ことを特徴とする遊技機。
【発明の詳細な説明】
【０００１】
【発明の属する技術分野】
本発明は、賞球を受ける上側球貯留部材の前面部から下側球貯留部材の前面部に渡って覆う装飾部材を備えた遊技機に関し、特に、上側球貯留部材の前面上端縁部から延出される延出部材によって上側球貯留部材の前面部から下側球貯留部材の前面部に渡って全面が覆われることにより、上側球貯留部材の下側に開口部が形成されないため、遊技機の前面部を従来にない斬新なデザインにすることが可能となり、遊技者の興味を強く引きつけることができる遊技機に関するものである。
【０００２】
【従来の技術】
従来より、パチンコ機等の遊技機においては、上皿と下皿の前面部を覆うカバー部材が設けられる遊技機が種々提案されている。
【０００３】
例えば、特開平９−２３４２８０号公報に記載された弾球遊技機では、弾球遊技機本体に前枠を設け、この前枠に、遊技盤と、遊技盤上に遊技球を発射する発射手段の発射ハンドルと、前枠から前方に突出する下皿とを設けた弾球遊技機において、前枠に、この前枠を前面側から覆う合成樹脂製の化粧カバーを設け、この化粧カバーに、下皿をその前後から覆う下皿カバーを一体に設け、この下皿カバーに、下皿の上端開口に対応する下皿開口部が形成されている。これにより、前面側のデザインを質感、量感に溢れ豪華且つ斬新なものにする等、そのデザインを容易に選択し決定できると共に、機種相互間でもデザインを容易に変更でき、しかも安価に製作できる上に、下皿カバーを化粧カバーと構造的に一体化することによって、化粧カバーと下皿カバー部とをデザイン的にも容易に統一できる利点がある。
【０００４】
また、当該弾球遊技機では、弾球遊技機本体に前枠を開閉自在に設け、この前枠に、遊技盤と、遊技盤上に遊技球を発射する発射手段の発射ハンドルとを設け、遊技盤の下側に、発射手段の発射機構を点検し得るように開閉板を設け、この開閉板に、発射機構に遊技球を１個ずつ供給するための上皿を設け、この上皿の下側で発射ハンドルの側方に、上皿から溢流した遊技球を受ける下皿を設けた弾球遊技機において、前枠に、この前枠を前面側から覆う合成樹脂製の化粧カバーを設け、この化粧カバーに、下皿をその前後から覆う下皿カバーを一体に設け、この下皿カバーに、下皿の上端開口に対応する下皿開口部が形成されている。これにより、前面側のデザインを質感、量感に溢れ豪華且つ斬新なものにする等、そのデザインを容易に選択し決定できると共に、機種相互間でもデザインを容易に変更でき、しかも下皿に対する遊技球の出し入れを容易にできる。
【０００５】
【発明が解決しようとする課題】
しかしながら、上述した特開平９−２３４２８０号公報に記載された各弾球遊技機においては、上皿の下側に開口部を有する下皿が配置されている従来のパチンコ機などの遊技機の基本デザインと同様に、下皿をその前後から覆う下皿カバーに、下皿の上端開口に対応する下皿開口部が形成されているため、遊技機の前面部を従来にない斬新なデザインにすることが困難であり、遊技者に対して大きなインパクトを与えて遊技への興味を強く引きつけることが難しいという問題がある。
【０００６】
そこで、本発明は、上述した問題点を解決するためになされたものであり、上側球貯留部材の前面上端縁部から延出される延出部材によって上側球貯留部材の前面部から下側球貯留部材の前面部に渡って全面が覆われることにより、上側球貯留部材の下側に開口部が形成されないため、遊技機の前面部を従来にない斬新なデザインにすることが可能となり、遊技者の興味を強く引きつけることができる遊技機を提供することを目的とする。
【０００７】
【課題を解決するための手段】
前記目的を達成するため請求項１に係る遊技機は、外枠と、前記外枠に遊技者側の前面側にて開閉可能となるように取り付けられて、略中央部に窓部を有する前面カバー部材と、遊技者側の前面に突出して設けられて、払い出される賞球を受ける上側球貯留部材と、前記上側球貯留部材の下側に配置されて、該上側球貯留部材から溢れた遊技球を受けて貯留する下側球貯留部材とを備え、前記上側球貯留部材は、該上側球貯留部材の前面上端縁部から前記下側球貯留部材の下側まで延出される延出部材を有し、前記下側球貯留部材は、前記延出部材の後側に配設されると共に、該延出部材によって上方前面部が塞がれ、前記上側球貯留部材は、前記前面カバー部材と一体に設けられ、前記延出部材の略中央部には、断面略円形の凹部が形成され、前記凹部内に、球抜きダイヤルレバーが回動可能に取り付けられ、前記下側球貯留部材の下端部には、球抜き孔が形成され、前記下側球貯留部材には、前記球抜き孔を覆うことが可能なスライド板が設けられ、前記下側球貯留部材には、前記スライド板の位置を前記球抜き孔を覆う位置から前記球抜き孔を覆わない位置へ移動させる球抜き機構部が設けられ、前記前面カバー部材を閉じたときに、前記球抜きダイヤルレバーは、前記球抜き機構部に接続され、前記接続された状態で、前記球抜きダイヤルレバーが一方向に操作されたときに、前記スライド板の位置が前記球抜き孔を覆う位置から前記球抜き孔を覆わない位置へ移動され、前記スライド板が前記球抜き孔を覆わなくなることにより、前記下側球貯留部材に貯留された賞球が下方に落下される、ことを特徴とする。
【０００８】
このような特徴を有する請求項１に係る遊技機においては、払い出される賞球を受ける上側球貯留部材が遊技者側の前面に突出して設けられている。また、この上側球貯留部材の下側には、この上側球貯留部材から溢れた遊技球を受けて貯留する下側球貯留部材が配置されている。そして、この下側球貯留部材は、上側球貯留部材の前面上端縁部から該下側球貯留部材の下側まで延出される延出部材によって覆われて、延出部材の後側に配設されている。また、下側球貯留部材の上方前面部は、該延出部材によって塞がれている。
また、前記カバー部材を閉じたときに、前記球抜きダイヤルレバーは、前記球抜き機構部に接続され、接続された状態で、前記球抜きダイヤルレバーが一方向に操作されたときに、前記スライド板の位置が球抜き孔を覆う位置から球抜き孔を覆わない位置へ移動され、前記スライド板が前記球抜き孔を覆わなくなることにより前記賞球を下方に落下させる。
これにより、上側球貯留部材の前面上端縁部から延出される延出部材によって上側球貯留部材の前面部から下側球貯留部材の前面部に渡って全面が覆われることにより、上側球貯留部材の下側に開口部が形成されないため、遊技機の前面部を従来にない斬新なデザインにすることが可能となり、遊技者の興味を強く引きつけることができる。
また、外枠に遊技者側の前面側にて開閉可能となるように取り付けられて、略中央部に窓部を有する前面カバー部材と、前記上側球貯留部材とは一体に設けられている。
これにより、前面カバー部材を開閉することによって上側球貯留部材や延出部材が一体となって開閉されるため、遊技盤などの点検・調整と同時に下側球貯留部材などが配設される機構部分を点検・調整することができて、保守点検作業の効率化を図ることができる。また、前面カバー部材と上側球貯留部材とが一体に設けられるため、下側球貯留部材の上方に連通する開口部がない前面カバー部材によって遊技機の前面部を覆うことができて、従来にないより斬新なデザインにすることが可能となり、遊技者の興味を更に強く引きつけることができる。
【０００９】
【００１０】
【００１１】
【００１２】
【００１３】
また、請求項１に記載の遊技機において、前記延出部材は、複数の部材から構成されることを特徴とする。これにより、延出部材を構成する複数の部材は、小型部品にすることが可能となるため、成形性の向上を図ることができるとともに、個々の部材毎に修理・交換をすることが可能となって維持費の削減化を図ることができる。
また、請求項１に記載の遊技機において、前記延出部材は、該延出部材を構成する複数の部材と、前記各部材が取り付けられる基体部材とを有する構成であることを特徴とする。従って、複数の部材を基体部材に取り付けることによって延出部材が構成される。これにより、延出部材を構成する複数の部材は、小型部品とすることが可能となるため、成形性の向上を図ることができるとともに、個々の部材を基体部材から取り外し・取り付けることによって、各部材毎の修理・交換をすることが可能となって維持費の削減化を図ることができる。
【００１４】
【発明の実施の形態】
以下、本発明に係る遊技機をパチンコ機について具体化した第１及び第２実施形態を図面を参照して詳細に説明する。
先ず、第１実施形態に係るパチンコ機の全体概略構成について図１乃至図５に基づき説明する。図１は第１実施形態に係るパチンコ機全体を示した正面図である。図２は第１実施形態に係るパチンコ機全体を示した側面図である。図３は第１実施形態に係るパチンコ機全体を示した平面図である。図４は第１実施形態に係るパチンコ機全体を示した側断面図である。図５は第１実施形態に係るパチンコ機の前面カバー部材を開いた状態を示す正面図である。尚、図１及び図５では遊技領域上のゲート等の構造物を省略して示す。
【００１５】
図１乃至図４に示すように、第１実施形態に係るパチンコ機１は、所定量のパチンコ球を賞球として払い出す、いわゆる第１種パチンコ機である。パチンコ機１は、木製の外枠２に対して樹脂製の前枠３が、前枠取付用ヒンジを構成する上ヒンジ４及び下ヒンジ５を介して外枠２に対して開閉自在に取り付けられている。そして、この前枠３のほぼ中央部には、後述のように略四角形の窓部７が形成され、この窓部７には、遊技盤８が前面側から取付けられている（図４、図５参照）。
【００１６】
また、この前枠３の前側を被覆する樹脂製の前面カバー部材１０は、左側端縁部を上ヒンジ４と、前枠３の前側に突出して形成される前面パネル部３Ａの左端上部に取り付けられる軸支持部材１１とによって支えられて開閉自在に取り付けられている（図５参照）。この前面カバー部材１０は、前面部が正面視略卵形に前面側へ膨出して形成されると共に、閉じられた場合には、この前面カバー部材１０の下端周縁部と正面視略逆半月形に上端縁部が凹む前面パネル部３Ａとが、連続した面を構成するように形成されている。
また、この前面カバー部材１０は、ほぼ中央部に略円形の窓部１２が開設されると共に、この窓部１２の下端縁部から斜め下前側方向に突出する壁部１５と、この壁部１５の下端縁部から前側方向に突き出して設けられて、払い出される賞球を受ける所定深さの上側球貯留部材２２と、この上側球貯留部材２２の前面上端縁部から下側球貯留部材３０の下側を覆うように正面視略半球状に延出される延出部材３２とから形成されている。
【００１７】
また、前面カバー部材１０のほぼ中央部に開設される窓部１２には、球面上に外側方向に膨出する透明な前面カバー１３が前面側から嵌着されると共に、この前面カバー１３の後側にはガラス板１４（図４参照）が装着されている。従って、前面カバー１３とガラス板１４とを通して遊技盤８上に構成される遊技領域が見えるようになっている。また、前面カバー部材１０の窓部１２の左右の周辺部には、左右方向に直線状に配設された発光ＬＥＤ９が、複数本ずつ上下方向にほぼ平行に配列されている。
【００１８】
また、前面カバー部材１０の窓部１２の下端縁部から斜め下前側方向に突出する壁部１５の略中央部には、横長四角形の開口部１６が開設されている。そして、前面カバー部材１０を閉じた場合には、この開口部１６を介して、斜め上向きに取り付けられて変動図柄等が表示されるＬＣＤ表示器１７の画面が、斜め上から見えるように構成されている。また、この開口部１６の左右には、正面視三角形状に多数の小孔が穿設される一対の網目部１８、１８が形成されている。この各網目部１８、１８は、前面カバー部材１０が閉じられた場合に、後述の前枠３に配設される一対のスピーカ２０、２０（図５には、１個のスピーカ２０が示されている。）と対向している。
【００１９】
また、払い出される賞球を受ける上側球貯留部材２２の左奥側の壁面部には、パチンコ機１の背面部に設けられて賞球や貸球を払い出す公知の払い出し機構（特開平１１−３０９２６５号公報等参照）から払い出される賞球等を上側球貯留部材２２に案内する賞球払い出し口２３が設けられている。また、上側球貯留部材２２のパチンコ球が発射装置２５（図５参照）へ不図示の球送り機構を介して送られるように構成されている。この発射装置２５は、前面パネル部３Ａに立設される操作ハンドル２６の回動操作によって発射力が調整されるように構成されている。また、パチンコ機１の左右方向の中心線に対して操作ハンドル２６のほぼ対称な位置には、前面パネル部３Ａの前面部から遊技者側に突き出して設けられる開閉可能式の灰皿２７が取り付けられている。
【００２０】
また、上側球貯留部材２２の右側上端面の右外側には球抜きボタン２８が配設されており、遊技者が球抜きボタン２８を押下することにより、上側球貯留部材２２にあるパチンコ球が、該上側球貯留部材２２の下側に配設される透明な樹脂製の下側球貯留部材３０に不図示の案内筒部材を介して流れ込むように構成されている。
【００２１】
また、上側球貯留部材２２の前面上端縁部から正面視略半球状に延出される延出部材３２の下側球貯留部材３０の底面部に対向する部分には、開口部３２Ａが形成され、この透明な下側球貯留部材３０内のパチンコ球が見えるように構成されている。
また、この延出部材３２の略中央部には、断面略円形の凹部３４が形成されて、この凹部３４内に球抜きダイヤルレバー３５が回動可能に取り付けられている。この球抜きダイヤルレバー３５は、前面カバー部材１０を閉じた場合に、下側球貯留部材３０の球抜き機構部３３に接続され、該球抜きレバー３５を一方向に操作することにより、下側球貯留部材３０の下端部に形成される球抜き孔３７を覆うスライド板部材３８が左右方向に移動して、この球抜き孔３７から開口部３２Ａを介して下方にパチンコ球が落下することとなる。尚、球抜きダイヤルレバー３５は、球抜き機構部３３の不図示のバネにより反対回転方向に付勢されている。
【００２２】
また、球抜きダイヤルレバー３５の上側には、各スピーカ２０、２０の音量を調整できる音量調整用操作部材４０が配設されている。この場合、音量調整用操作部材４０はタッチ型であって、遊技者等が音量調整用操作部材４０の左側のボタンを押すことによって音量が小さくなり、該音量調整用操作部材４０の右側のボタンを押すことによって音量が大きくなるため、その音量を調整でき、遊技者は各スピーカ２０、２０を介して遊技に応じた音等を所望の音量で聴くことができる。
【００２３】
また、図４に示すように、パチンコ機１の裏側最上段には、上方に開口した賞球タンク４５が前枠３の裏面に固定されている。この賞球タンク４５は、傾斜した底面に不図示の連通孔が形成され、その連通孔の下方にはパチンコ球を２列に整列流出し、不図示の賞球や貸球を払い出す払出機構にパチンコ球を送る通路を形成するタンクレール４６が取付けられている。また、遊技盤８の裏面を覆うセンターカバ４７が前枠３の裏面に取り付けられている。このセンターカバ４７の背面部には、不図示のパチンコ機１の賞球の払い出し制御等を制御する制御回路が構成された主基板が収納されるカバー４８と、不図示の賞球払い出し機構を制御する制御回路が構成された賞球制御基板が収納されるカバー４９等が配設されている。また、センターカバ４７の下側には、賞球払い出し口２３から溢れた賞球を下側球貯留部材３０に案内する案内樋５０が、前枠３の背面部に配設されている。また、案内樋５０の背面部には、不図示の音楽制御基板が収納されるカバー５１が配設されている。また、この案内樋５０と下側球貯留部材３０とは、前枠３の下側球貯留部材３０の裏面に対向する位置に穿設される断面略四角形の貫通孔５２を介して連通している。これにより、上側球貯留部材２２から溢れたパチンコ球は、案内樋５０及び貫通孔５２を介して下側球貯留部材３０に案内されて貯留される。
【００２４】
次に、前面カバー部材１０の開閉機構及び開閉操作について説明する。図５に示すように、前枠３の右側端縁部の縦方向略中央部には、断面略斜め菱形の鍵取付部５５が前面側に突き出して設けられている。そして、前面カバー部材１０の鍵取付部５５に対向する部分には、閉じられた場合に、該鍵取付部５５が嵌合される溝部５６が形成されている。
また、前枠３の右側端縁部の裏面には、前面カバー部材１０を施錠する公知の施錠装置５７が設けられている（特開平１０−３０９３６３号公報参照）。そして、鍵取付部５５の略中央部には、この施錠装置５７のシリンダ錠５８が裏側から挿入される貫通孔５５Ａが形成されている。また、鍵取付部５５の上下には、縦長四角形の一対の貫通孔６０、６０が穿設され、施錠装置５７に回動可能に設けられる各錠爪６１、６１が前枠３の裏側から挿通されている。この各錠爪６１、６１は、前面カバー部材１０の右側端縁部の裏側面に設けられる不図示の係合部材に係合し、シリンダ錠５８に所定のキーを挿入して所定方向（本第１実施形態では、反時計方向）に回せば、各錠爪６１、６１が上方向に回動して前面カバー部材１０の開錠作動をするようになっている。一方、施錠装置５７の上下端部には、外枠２の内側に設けられる不図示の係合部材に係合する不図示の一対の前面枠錠爪が回動可能に設けられ、シリンダ錠５８に所定のキーを挿入して反対方向（本第１実施形態では、時計方向）に回せば、各前面枠錠爪が上下方向に回動して前枠３の開錠作動をするようになっている。
【００２５】
また、シリンダ錠５８に所定のキーを挿入して所定方向（本第１実施形態では、反時計方向）に回して前面カバー部材１０を開錠し、該前面カバー部材１０を前面側に開いた場合には、前枠３の前面部に取り付けられる下側球貯留部材３０、発射装置２５、ＬＣＤ表示器１７、各スピーカ２０、２０、及び遊技盤８の前面部が現れる。
ここで、ＬＣＤ表示器１７及び各スピーカ２０、２０は、正面視横長四角形の組付部材６３の前面部に取り付けられている。また、この組付部材６３の左端縁部は、前枠３の前面側に回動可能に軸支されている。そして、この組付部材６３の背面部が前枠３の前面に当接されると共に、該組付部材６３の右端縁部に形成される凹部６４に、前枠３の前面部に回動可能に立設されるＬ字形固定レバー６５の軸部が嵌合され、該Ｌ字形固定レバー６５を下方向に回動することによって、組付部材６３が前枠３の前面部に当接して固定される。
従って、Ｌ字形固定レバー６５を上方向に回動して、組付部材６３を前面側に開くことによって、ＬＣＤ表示器１７及び各スピーカ２０、２０の点検・調整、遊技盤８の取り付け・取り外し、及び発射レール６６の点検・調整などを前枠３の前面側から行うことができる。
【００２６】
以上説明した通り第１実施形態に係るパチンコ機１では、木製の外枠２に対して樹脂製の前枠３が、前枠取付用ヒンジを構成する上ヒンジ４及び下ヒンジ５を介して外枠２に対して開閉自在に取り付けられている。また、この前枠３の前側を被覆する樹脂製の前面カバー部材１０は、左側端縁部を上ヒンジ４と、前枠３の前側に突出して形成される前面パネル部３Ａの左端上部に取り付けられる軸支持部材１１とによって支えられて開閉自在に取り付けられている。また、この前面カバー部材１０は、ほぼ中央部に略円形の窓部１２が開設されると共に、この窓部１２の下端縁部から斜め下前側方向に突出する壁部１５と、この壁部１５の下端縁部から前側方向に突き出して設けられて、払い出される賞球を受ける所定深さの上側球貯留部材２２と、この上側球貯留部材２２の前面上端縁部から下側球貯留部材３０の下側を覆うように正面視略半球状に延出される延出部材３２とから形成されている。そして、シリンダ錠５８に所定のキーを挿入して所定方向に回して前面カバー部材１０を開錠し、該前面カバー部材１０を前面側に開いた場合には、前枠３の前面部に取り付けられる下側球貯留部材３０、発射装置２５、ＬＣＤ表示器１７、各スピーカ２０、２０、及び遊技盤８の前面部が現れる。
【００２７】
従って、シリンダ錠５８を開錠して前面カバー部材１０を開閉することによって、前面カバー１３、壁部１５、上側球貯留部材２２及び延出部材３２等が一体となって開閉されるため、遊技盤８や発射装置２５などの点検・調整と同時に下側球貯留部材３０などが配設される機構部分を点検・調整することができて、保守点検作業の効率化を図ることができる。また、下側球貯留部材３０は、上側球貯留部材２２の前面上端縁部から正面視略半球状に延出される延出部材３２によって覆われるため、下側球貯留部材３０の上方に連通する開口部がない前面カバー部材１０によってパチンコ機１の前面部を覆うことができて、上側球貯留部材２２の下側に下側球貯留部材３０の上方に連通する開口部を有しない新しいデザイン、即ち、従来にないより斬新なデザインにすることが可能となり、遊技者の興味を更に強く引きつけることができる。
【００２８】
次に、第２実施形態に係るパチンコ機について説明する。第２実施形態に係るパチンコ機の概略全体構成は、第１実施形態に係るパチンコ機１とほぼ同じ構成である。但し、第２実施形態に係るパチンコ機は、前枠３の前面部の上約２／３が上側前面カバー部材で覆われ、該前枠３の前面部の下約１／３が下側前面カバー部材で覆われる点において、第１実施形態に係るパチンコ機１と異なっている。
【００２９】
ここで、第２実施形態に係るパチンコ機の概略全体構成について図６乃至図９に基づいて説明する。図６は第２実施形態に係るパチンコ機全体を示した正面図である。図７は第２実施形態に係るパチンコ機全体を示した側面図である。図８は第２実施形態に係るパチンコ機の上側前面カバー部材を開いた状態を示す正面図である。図９は第２実施形態に係るパチンコ機の上側前面カバー部材と下側前面カバー部材とを開いた状態を示す正面図である。尚、図６乃至図９において上記第１実施形態に係るパチンコ機１と同一符号は、上記パチンコ機１と同一あるいは相当部分を示すものである。また、図６、図８及び図９では遊技領域上のゲート等の構造物を省略して示す。
【００３０】
図６及び図７に示すように、第２実施形態に係るパチンコ機７１は、木製の外枠２に対して樹脂製の前枠３が、前枠取付用ヒンジを構成する上ヒンジ４及び下ヒンジ５を介して外枠２に対して開閉自在に取り付けられている。そして、この前枠３のほぼ中央部には、後述のように略四角形の窓部７が形成され、この窓部７には、遊技盤８が前面側から取付けられている（図８、図９参照）。
【００３１】
また、この前枠３の前側の上約２／３の部分は、樹脂製の上側前面カバー部材７２で覆われると共に、該前枠３の前側の下約１／３の部分は、樹脂製の下側前面カバー部材７３によって覆われている。この上側前面カバー部材７２は、左側端縁部を上ヒンジ４と、前枠３の前側に突出して形成される前面パネル部３Ａの左端上部に取り付けられて、下側前面カバー部材７３の左端部を貫通して突出する軸支持部材７４とによって支えられて開閉自在に取り付けられている（図８参照）。また、下側前面カバー部材７３は、この軸支持部材７４を介して左端部が回動可能に支持され、開閉自在に取り付けられている（図９参照）。
そして、この上側前面カバー部材７２と下側前面カバー部材７３とが閉じられた場合には、前面部が正面視略卵形に前面側へ膨出して形成されると共に、下側前面カバー部材７３の下端周縁部と正面視略逆半月形に上端縁部が凹む前面パネル部３Ａとが、連続した面を構成するように形成されている。
【００３２】
また、上側前面カバー部材７２は、ほぼ中央部に略円形の窓部１２が開設されると共に、この窓部１２の下端縁部から斜め下前側方向に突出する壁部１５が形成されている。
この上側前面カバー部材７２の窓部１２には、球面上に外側方向に膨出する透明な前面カバー１３が前面側から嵌着されると共に、この前面カバー１３の後側にはガラス板１４（図４参照）が装着されている。従って、前面カバー１３とガラス板１４とを通して遊技盤８上に構成される遊技領域が見えるようになっている。また、前面カバー部材１０の窓部１２の左右の周辺部には、左右方向に直線状に配設された発光ＬＥＤ９が、複数本ずつ上下方向にほぼ平行に配列されている。
また、上側前面カバー部材７２の窓部１２の下端縁部から斜め下前側方向に突出する壁部１５の略中央部には、横長四角形の開口部１６が開設されている。そして、上側前面カバー部材７２を閉じた場合には、この開口部１６を介して、斜め上向きに取り付けられて変動図柄等が表示されるＬＣＤ表示器１７の画面が、斜め上から見えるように構成されている。また、この開口部１６の左右には、正面視三角形状に多数の小孔が穿設される一対の網目部１８、１８が形成されている。この各網目部１８、１８は、上側前面カバー部材７２が閉じられた場合に、後述のように前枠３に配設される一対のスピーカ２０、２０（図８及び図９には、１個のスピーカ２０が示されている。）と対向している。
また、壁部１５の下端縁部には、略水平後側に延出される延出部が形成されており、閉じた場合には、この延出部の後側端縁部は、下側前面カバー部材７２の上端面部に当接して、連続した面を構成するように形成されている。
【００３３】
一方、下側前面カバー部材７３は、上端縁部の少し下側から前側方向に突き出して設けられて、払い出される賞球を受ける所定深さの上側球貯留部材７６と、この上側球貯留部材７６の前面上端縁部から下側球貯留部材３０の下側を覆うように正面視略半球状に延出される延出部材７７とから形成されている。
また、上側球貯留部材７６の左奥側の壁面部には、パチンコ機７１の背面部に設けられて賞球や貸球を払い出す公知の払い出し機構（特開平１１−３０９２６５号公報等参照）から払い出される賞球等を上側球貯留部材７６に案内する賞球払い出し口７９が設けられている。また、上側球貯留部材７６のパチンコ球が発射装置２５（図９参照）へ不図示の球送り機構を介して送られるように構成されている。この発射装置２５は、前面パネル部３Ａに立設される操作ハンドル２６の回動操作によって発射力が調整されるように構成されている。また、パチンコ機７１の左右方向の中心線に対して操作ハンドル２６のほぼ対称な位置には、前面パネル部３Ａの前面部から遊技者側に突き出して設けられる開閉可能式の灰皿２７が取り付けられている。
【００３４】
また、上側球貯留部材７６の右側上端面の右外側には球抜きボタン８０が配設されており、遊技者が球抜きボタン８０を押下することにより、上側球貯留部材７６にあるパチンコ球が、該上側球貯留部材７６の下側に配設される透明な樹脂製の下側球貯留部材３０に不図示の案内筒部材を介して流れ込むように構成されている。
【００３５】
また、上側球貯留部材７６の前面上端縁部から正面視略半球状に延出される延出部材７７の下側球貯留部材３０の底面部に対向する部分には、開口部７７Ａが形成され、この透明な下側球貯留部材３０内のパチンコ球が見えるように構成されている。
また、この延出部材７７の略中央部には、断面略円形の凹部８２が形成されて、この凹部８２内に球抜きダイヤルレバー３５が回動可能に取り付けられている。この球抜きダイヤルレバー３５は、下側前面カバー部材７３を閉じた場合に、下側球貯留部材３０の球抜き機構部３３に接続され、該球抜きレバー３５を一方向に操作することにより、下側球貯留部材３０の下端部に形成される球抜き孔３７を覆うスライド板部材３８が左右方向に移動して、この球抜き孔３７から開口部７７Ａを介して下方にパチンコ球が落下することとなる。尚、球抜きダイヤルレバー３５は、球抜き機構部３３の不図示のバネにより反対回転方向に付勢されている。
【００３６】
また、球抜きダイヤルレバー３５の上側には、各スピーカ２０、２０の音量を調整できる音量調整用操作部材４０が配設されている。この場合、音量調整用操作部材４０はタッチ型であって、遊技者等が音量調整用操作部材４０の左側のボタンを押すことによって音量が小さくなり、該音量調整用操作部材４０の右側のボタンを押すことによって音量が大きくなるため、その音量を調整でき、遊技者は各スピーカ２０、２０を介して遊技に応じた音等を所望の音量で聴くことができる。
【００３７】
次に、上側前面カバー部材７２と下側前面カバー部材７３の開閉操作について図８及び図９に基づいて説明する。
先ず、上側前面カバー部材７２の開閉機構及び開閉操作について図８に基づいて説明する。図８に示すように、前枠３の右側端縁部の縦方向略中央部には、断面略斜め菱形の鍵取付部５５が前面側に突き出して設けられている。そして、上側前面カバー部材７２の鍵取付部５５に対向する部分には、閉じられた場合に、該鍵取付部５５が嵌合される溝部８５が形成されている。
また、前枠３の右側端縁部の裏面には、上側前面カバー部材７２を施錠する公知の施錠装置５７が設けられている。そして、鍵取付部５５の略中央部には、この施錠装置５７のシリンダ錠５８が裏側から挿入される貫通孔５５Ａが形成されている。また、鍵取付部５５の上下には、縦長四角形の一対の貫通孔６０、６０が穿設され、施錠装置５７に回動可能に設けられる各錠爪６１、６１が前枠３の裏側から挿通されている。この各錠爪６１、６１は、上側前面カバー部材７２の右側端縁部の裏側面に設けられる不図示の係合部材に係合し、シリンダ錠５８に所定のキーを挿入して所定方向（本第２実施形態では、反時計方向）に回せば、各錠爪６１、６１が上方向に回動して上側前面カバー部材７２の開錠作動をするようになっている。一方、施錠装置５７の上下端部には、外枠２の内側に設けられる不図示の係合部材に係合する不図示の一対の前面枠錠爪が回動可能に設けられ、シリンダ錠５８に所定のキーを挿入して反対方向（本第２実施形態では、時計方向）に回せば、各前面枠錠爪が上下方向に回動して前枠３の開錠作動をするようになっている。
【００３８】
また、シリンダ錠５８に所定のキーを挿入して所定方向（本第２実施形態では、反時計方向）に回して上側前面カバー部材７２を開錠し、該上側前面カバー部材７２を前面側に開いた場合には、前枠３の前面部に取り付けられる遊技盤８の前面部、ＬＣＤ表示器１７、及び各スピーカ２０、２０が現れる。これにより、遊技盤８の点検・調整などを前枠３の前面側から行うことができる。
【００３９】
次に、下側前面カバー部材７３の開閉機構及び開閉操作について図８及び図９に基づいて説明する。図８及び図９に示すように、下側前面カバー部材７３の右端縁部の内側面には、ロック解除レバー８７が設けられている。このロック解除レバー８７は、不図示のバネによって上側方向に付勢されると共に、不図示の係合爪が後側方向に突き出して形成されている。一方、下側前面カバー部材７３を閉じた際に、この下側前面カバー部材７３のロック解除レバー８７に対向する前枠３の前面部には、鋼板製の係合部材８８が取り付けられている。この係合部材８８は、前枠３の前面部に垂設されると共に、前端縁部の約上側半分の部分が左側方向へ略直角に延出されて延出部８８Ａが形成されている。そして、下側前面カバー部材７３を閉じた場合には、ロック解除レバー８７の係合爪は、係合部材８８の延出部８８Ａの下端部に係合し、ロック状態になる。また、このロック解除レバー８７を下側方に押し下げることにより、ロック状態が解除されて、下側前面カバー部材７３が前面側に開かれる。
また、下側前面カバー部材７３を前面側に開いた場合には、前枠３の前面部下方に配設されるＬＣＤ表示器１７及び各スピーカ２０、２０が組み付けられる組付部材６３の下端部、下側球貯留部材３０、及び発射装置２５等が現れる。従って、Ｌ字形固定レバー６５を上方向に回動して、組付部材６３を前面側に開くことによって、ＬＣＤ表示器１７及び各スピーカ２０、２０の点検・調整、遊技盤８の取り付け・取り外し、及び発射レール６６の点検・調整などを前枠３の前面側から行うことができる。
【００４０】
以上説明した通り第２実施形態に係るパチンコ機７１では、木製の外枠２に対して樹脂製の前枠３が、前枠取付用ヒンジを構成する上ヒンジ４及び下ヒンジ５を介して外枠２に対して開閉自在に取り付けられている。また、この前枠３の前側の上約２／３の部分は、樹脂製の上側前面カバー部材７２で覆われると共に、該前枠３の前側の下約１／３の部分は、樹脂製の下側前面カバー部材７３によって覆われている。この上側前面カバー部材７２は、左側端縁部を上ヒンジ４と、前枠３の前側に突出して形成される前面パネル部３Ａの左端上部に取り付けられて、下側前面カバー部材７３の左端部を貫通して突出する軸支持部材７４とによって支えられて開閉自在に取り付けられている（図８参照）。また、下側前面カバー部材７３は、この軸支持部材７４を介して左端部が回動可能に支持され、開閉自在に取り付けられている。そして、シリンダ錠５８に所定のキーを挿入して所定方向に回して上側前面カバー部材７２を開錠し、該上側前面カバー部材７２を前面側に開いた場合には、前枠３の前面部に取り付けられる遊技盤８、ＬＣＤ表示器１７、及び各スピーカ２０、２０の前面部が現れる。続いて、ロック解除レバー８７を下側に押し下げて下側前面カバー部材７３を前面側に開いた場合には、前枠３の前面部に取り付けられる組付部材６３の下端部、下側球貯留部材３０、及び発射装置２５などが現れる。
【００４１】
従って、シリンダ錠５８を開錠して上側前面カバー部材７２を開閉して行う遊技盤８などの点検・調整作業と、該上側前面カバー部材７２を前面側に開いてからロック解除レバー８７を解除して下側前面カバー部材７３を開閉して行うＬＣＤ表示器１７及び各スピーカ２０、２０の点検・調整、遊技盤８の取り付け・取り外し、及び発射レール６６の点検・調整などの点検・調整作業とを別々に行うことができるため、遊技中に比較的多く発生する遊技盤８などの点検・調整作業を、遊技者が座ったままで行うことができ、遊技者の興趣を損なうことを防止することができる。また、パチンコ機７１の前面部は、上側前面カバー部材７２と下側前面カバー部材７３とによって覆うことができて、上側球貯留部材７６の下側に下側球貯留部材３０の上方に連通する開口部を有しない新しいデザイン、即ち、従来にないより斬新なデザインにすることが可能となり、遊技者の興味を更に強く引きつけることができる。
【００４２】
尚、本発明は、前記第１及び第２実施形態に限定されるものではなく、本発明の要旨を逸脱しない範囲内で種々の改良、変形が可能であることは勿論である。例えば、以下のようにしてもよい。
（ａ）前記第１及び第２実施形態では、下側球貯留部材３０は、前枠３の前面部に設けられているが、この前枠３を貫通して前枠３の裏面まで延出して設けてもよい。これにより、下側球貯留部材３０を容易に大型化することができ、より多くの遊技球を貯留することができる。
（ｂ）前記第１及び第２実施形態では、各延出部材３２、７７の下端部に形成される各開口部３２Ａ、７７Ａは、前側と後側とが連通しているが、この各開口部３２Ａ、７７Ａを閉塞するように透明または半透明のカバー部材を取り付ける構成にしてよい。これにより、各開口部３２Ａ、７７Ａと下側球貯留部材３０の底面部との隙間から、埃などが内側に入るのを防止することができる。
（ｃ）前記第１及び第２実施形態では、壁部１５に開設される開口部１６は、前側と後側とが連通しているが、この開口部１６を閉塞するように透明のカバー部材を取り付ける構成にしてよい。これにより、開口部１６とＬＣＤ表示器１７との隙間から、埃などが内側に入るのを防止することができる。
（ｄ）前記第２実施形態では、上側前面カバー部材７２は、窓部１２を有する部分と壁部１５とが一体に形成されているが、上側前面カバー部材７２は、窓部１２を有する部分のみにより形成されると共に、下側前面カバー部材７３を壁部１５、上側球貯留部材７６、及び延出部材７７が一体に形成される構成にしてもよい。これにより、遊技盤８の点検・調整などの場合には、窓部１２を有する部分だけを前面側に開く構成にすることができるため、遊技中に比較的多く発生する遊技盤８などの点検・調整作業を、遊技者が座ったままで更に容易に行うことができ、遊技者の興趣を損なうことを確実に防止することができる。
（ｅ）前記第１及び第２実施形態では、各延出部材３２、７７は、一体成形品によって形成しているが、複数の成形部品で構成されていてもよい。これにより、各部品を小型化して成形性の向上を図ることができるとともに、各部品毎の取り付け・取り外しが可能となり修理・交換費用の削減化を図ることができる。
また、各延出部材３２、７７の一の部材によって各上側球貯留部材２２、７６と下側球貯留部材３０との前側を覆っているが、各延出部材３２、７７を、各上側球貯留部材２２、７６の前側を覆う部品と、下側球貯留部材３０の前側を覆う部品とに分けて形成し、これらの複数の部品を同一の基体部材（例えば、梁部材や枠部材など）に取り付けることによって、一体となって各上側球貯留部材２２、７６と下側球貯留部材３０との前側を覆う構成にしてもよい。これにより、各部品を小型化して成形性の向上を図ることができるとともに、各部品毎の取り付け・取り外しが可能となり修理・交換費用の削減化を図ることができる。
【００４３】
【発明の効果】
以上説明した通り請求項１の遊技機では、払い出される賞球を受ける上側球貯留部材が遊技者側の前面に突出して設けられている。また、この上側球貯留部材の下側には、この上側球貯留部材から溢れた遊技球を受けて貯留する下側球貯留部材が配置されている。そして、この下側球貯留部材は、上側球貯留部材の前面上端縁部から該下側球貯留部材の下側まで延出される延出部材によって覆われて、延出部材の後側に配設されている。また、下側球貯留部材の上方前面部は、該延出部材によって塞がれている。
また、前記カバー部材を閉じたときに、前記球抜きダイヤルレバーは、前記球抜き機構部に接続され、接続された状態で、前記球抜きダイヤルレバーが一方向に操作されたときに、前記スライド板の位置が球抜き孔を覆う位置から球抜き孔を覆わない位置へ移動され、前記スライド板が前記球抜き孔を覆わなくなることにより前記賞球を下方に落下させる。
これにより、上側球貯留部材の前面上端縁部から延出される延出部材によって上側球貯留部材の前面部から下側球貯留部材の前面部に渡って全面が覆われることにより、上側球貯留部材の下側に開口部が形成されないため、遊技機の前面部を従来にない斬新なデザインにすることが可能となり、遊技者の興味を強く引きつけることができる遊技機を提供することができる。
【００４４】
【００４５】
【図面の簡単な説明】
【図１】  第１実施形態に係るパチンコ機全体を示した正面図である。
【図２】  第１実施形態に係るパチンコ機全体を示した側面図である。
【図３】  第１実施形態に係るパチンコ機全体を示した平面図である。
【図４】  第１実施形態に係るパチンコ機全体を示した側断面図である。
【図５】  第１実施形態に係るパチンコ機の前面カバー部材を開いた状態を示す正面図である。
【図６】  第２実施形態に係るパチンコ機全体を示した正面図である。
【図７】  第２実施形態に係るパチンコ機全体を示した側面図である。
【図８】  第２実施形態に係るパチンコ機の上側前面カバー部材を開いた状態を示す正面図である。
【図９】  第２実施形態に係るパチンコ機の上側前面カバー部材と下側前面カバー部材とを開いた状態を示す正面図である。
【符号の説明】
１、７１                パチンコ機
２                      外枠
３                      前枠
４                      上ヒンジ
５                      下ヒンジ
８                      遊技盤
１０                    前面カバー部材
１１、７４              軸支持部材
１２                    窓部
１５                    壁部
１６                    開口部
１７                    ＬＣＤ表示器
２０                    スピーカ
２２、７６              上側球貯留部材
２３、７９              賞球払い出し口
３０                    下側球貯留部材
３２、７７              延出部材
３２Ａ、７７Ａ          開口部
５７                    施錠装置
７２                    上側前面カバー部材
７３                    下側前面カバー部材
８７                    ロック解除レバー
８８                    係合部材
【図１】
0004352366.tif 000002
【図２】
0004352366.tif 000003
【図３】
0004352366.tif 000004
【図４】
0004352366.tif 000005
【図５】
0004352366.tif 000006
【図６】
0004352366.tif 000007
【図７】
0004352366.tif 000008
【図８】
0004352366.tif 000009
【図９】
0004352366.tif 000010